(57)【特許請求の範囲】
【請求項１】
２つの対向する建物構成部材としての壁間、２つの交わる建物構成部材としての壁間、又は２つの対向する建物構成部材としての壁及びこれら建物構成部材としての壁と交わる建物構成部材としての壁間に設置される筐体の転倒防止用固定具であって、
前記建物構成部材としての壁にそれぞれ固定するための建物構成部材側固定部と、前記筐体に固定するための筐体側固定部とを有する固定具本体から構成されており、
前記固定具本体は、前記筐体の周囲に嵌め込み可能な平面視で略矩形状の枠体であり、
枠体である前記固定具本体の各辺を形成する長尺部材の枠材の外側に略平行に設けられた長尺部材から成る前記建物構成部材側固定部は、前記建物構成部材としての壁の面に接し、複数箇所で固定用締結部材により締結されることを特徴とする筐体の転倒防止用固定具。
【請求項２】
前記枠体である前記固定具本体には、前記筐体の周囲に嵌め込んだ際に当該筐体の上面で係止させる係止部が設けられていることを特徴とする請求項１に記載の筐体の転倒防止用固定具。
【請求項３】
前記固定具本体の前記建物構成部材側固定部と、前記筐体側固定部とは、固定用締結部材を挿通させるための固定用挿通孔を有することを特徴とする請求項１又は２に記載の筐体の転倒防止用固定具。
【請求項４】
前記筐体側固定部の前記固定用挿通孔に挿通される前記固定用締結部材は、アジャスタボルトであることを特徴とする請求項３に記載の筐体の転倒防止用固定具。
【請求項５】
請求項１乃至４のいずれか１項に記載の筐体の転倒防止用固定具によって、筐体が固定されていることを特徴とする筐体の固定構造。
【請求項６】
前記筐体は、貯湯タンクであることを特徴とする請求項５に記載の筐体の固定構造。
【発明の詳細な説明】
【技術分野】
【０００１】
本発明は、貯湯タンクなどの筐体の転倒防止用固定具、及びこの筐体の転倒防止用固定具を用いた筐体の固定構造に関するものである。
【背景技術】
【０００２】
従来から、地震時における貯湯タンクなどの筐体の転倒を防止する対策がなされている（例えば、特許文献１等を参照）。
【先行技術文献】
【特許文献】
【０００３】
【特許文献１】特開平１１−３７５５９号公報
【発明の概要】
【発明が解決しようとする課題】
【０００４】
しかしながら、特許文献１をはじめとして、従来では、殆どの場合、筐体の片側のみを転倒防止用固定具で壁などに固定して対策していたが、近年、多数起こるようになった震度６強などの大きな規模の地震時においては、筐体が転倒してしまったり、転倒に至らずとも、固定部の壁が破損してしまったりするなどの事例が多数報告されている。
【０００５】
そこで、本発明は、大きな規模の地震時でも、筐体の転倒を防止するとともに、筐体の固定部である壁などの損傷も防止することができる筐体の転倒防止用固定具、及びこの筐体の転倒防止用固定具を用いた筐体の固定構造を提供することを目的としている。
【課題を解決するための手段】
【０００６】
前記目的を達成するために、本発明の筐体の転倒防止用固定具は、２つの対向する建物構成部材間、２つの交わる建物構成部材間、又は２つの対向する建物構成部材及びこれら建物構成部材と交わる建物構成部材間に設置される筐体の転倒防止用固定具であって、前記建物構成部材にそれぞれ固定するための建物構成部材側固定部と、前記筐体に固定するための筐体側固定部とを有する固定具本体から構成されていることを特徴とする。
【０００７】
ここで、前記建物構成部材側固定部は、長尺部材であり、前記建物構成部材と複数箇所で固定用締結部材により締結されるとよい。
【０００８】
また、前記固定具本体は、前記筐体の周囲に嵌め込み可能な枠体であるとよい。
【０００９】
さらに、前記枠体である前記固定具本体には、前記筐体の周囲に嵌め込んだ際に当該筐体の上面で係止させる係止部が設けられているとよい。
【００１０】
また、前記固定具本体の前記建物構成部材側固定部と、前記筐体側固定部とは、固定用締結部材を挿通させるための固定用挿通孔を有するとよい。
【００１１】
さらに、前記筐体側固定部の前記固定用挿通孔に挿通される前記固定用締結部材は、アジャスタボルトであるとよい。
【００１２】
本発明の筐体の固定構造は、上記した筐体の転倒防止用固定具によって、筐体が固定されていることを特徴とする。
【００１３】
ここで、前記筐体は、貯湯タンクであってもよい。
【発明の効果】
【００１４】
このような本発明の筐体の転倒防止用固定具は、２つの対向する建物構成部材間、２つの交わる建物構成部材間、又は２つの対向する建物構成部材及びこれら建物構成部材と交わる建物構成部材間に設置される筐体の転倒防止用固定具である。
【００１５】
そして、建物構成部材にそれぞれ固定するための建物構成部材側固定部と、筐体に固定するための筐体側固定部とを有する固定具本体から構成されている。
【００１６】
こうした構成なので、筐体が２つの対向する建物構成部材間、２つの交わる建物構成部材間、又は２つの対向する建物構成部材及びこれら建物構成部材と交わる建物構成部材間にしっかりと固定されるため、大きな規模の地震時でも、筐体の転倒を防止するとともに、筐体の固定部である壁などの損傷も防止することができる。
【００１７】
すなわち、筐体は、２つ又は３つの建物構成部材の面に固定されるので、筐体が転倒し難くなり、筐体の固定部である壁なども損傷し難くなる。
【００１８】
ここで、建物構成部材側固定部は、長尺部材であり、建物構成部材と複数箇所で固定用締結部材により締結される場合は、複数箇所で固定されるので、筐体がより転倒し難くなり、筐体の固定部である壁などもより損傷し難くなる。
【００１９】
また、固定具本体は、筐体の周囲に嵌め込み可能な枠体である場合は、筐体に嵌め込むだけなので、固定具本体を、筐体に容易に設置することができる。
【００２０】
さらに、枠体である固定具本体には、筐体の周囲に嵌め込んだ際に筐体の上面で係止させる係止部が設けられている場合は、枠体である固定具本体を筐体に嵌め込んだ際に、係止部により筐体の上面で係止されるので、枠体である固定具本体がそれ以上ずり落ちることはなく、容易に位置決めすることができる。
【００２１】
また、固定具本体の建物構成部材側固定部と、筐体側固定部とは、固定用締結部材を挿通させるための固定用挿通孔を有する場合は、建物構成部材と筐体への固定は、固定用挿通孔からネジやボルトなどの固定用締結部材を螺合するだけで済むので、簡易に実施することができる。
【００２２】
さらに、筐体側固定部の固定用挿通孔に挿通される固定用締結部材は、アジャスタボルトである場合は、筐体にボルト孔を設けるなどの加工を必要としないので、簡易に実施することができる。
【００２３】
すなわち、特に、固定具本体が枠体である場合は、枠体である固定具本体の内寸を筐体の外寸よりわずかに大きくしておくことで、枠体である固定具本体を筐体に簡単に嵌め込むことができ、その後、アジャスタボルトを螺合して、その先端で筐体を押圧することで枠体である固定具本体と筐体との間の隙間を規制し、ガタツキを防止することができる。
【００２４】
このような本発明の筐体の固定構造は、上記した本発明の筐体の転倒防止用固定具によって、筐体が固定された構成とされている。
【００２５】
こうした構成なので、上記した本発明の筐体の転倒防止用固定具の効果を奏する固定構造とすることができる。
【００２６】
ここで、筐体は、貯湯タンクである場合は、近年需要が増大してきている貯湯タンクの地震時における転倒を防止することにより、安全性を向上させることができる。
【図面の簡単な説明】
【００２７】
【図１】実施例１の筐体の固定構造の概略構成を説明する説明図である。
【図２】図１におけるＡ−Ａ線矢視拡大断面図である。
【図３】実施例１の筐体の転倒防止用固定具の概略構成を示す斜視図である。
【図４】実施例２の筐体の固定構造の概略構成を説明する説明図である。
【図５】図４におけるＢ−Ｂ線矢視拡大断面図である。
【図６】実施例２の筐体の転倒防止用固定具の概略構成を示す斜視図である。
【図７】実施例３の筐体の固定構造の概略構成を説明する説明図である。
【図８】図７におけるＣ−Ｃ線矢視拡大断面図である。
【図９】実施例４の筐体の固定構造の概略構成を説明する説明図である。
【図１０】図９におけるＤ−Ｄ線矢視拡大断面図である。
【発明を実施するための形態】
【００２８】
以下、本発明を実施するための形態を、図面に示す実施例１〜４に基づいて説明する。
【実施例１】
【００２９】
先ず、実施例１の構成について説明する。
【００３０】
図１は、実施例１の筐体の固定構造の概略構成を示している。
【００３１】
なお、この図１では、説明を分かり易くするために、貯湯タンク１の配管などの図示は省略した。
【００３２】
この実施例１の筐体の固定構造では、図１に示したように、筐体としての貯湯タンク１は、筐体の転倒防止用固定具２によって、建物構成部材としての間仕切壁３，３に固定されている。
【００３３】
具体的には、筐体としての貯湯タンク１は、床面５と天井面６との間に立設された建物構成部材としての間仕切壁３，３間に設置されている。
【００３４】
なお、間仕切壁３，３の端部には、これらと直交する建物構成部材としての構造壁３Ａが設けられている。
【００３５】
そして、この貯湯タンク１の脚部１ａ，・・・は、アンカーボルト４によって床面５にそれぞれ固定されている。
【００３６】
そのうえで、この貯湯タンク１の上部には、固定具本体２０が枠体である筐体の転倒防止用固定具２が嵌め込まれている。
【００３７】
そして、この筐体の転倒防止用固定具２では、枠体である固定具本体２０が固定用締結部材としての筐体側固定用ネジ７，・・・により貯湯タンク１に固定されているとともに、固定板部２１，２１が固定用締結部材としての建物構成部材側固定用ネジ８，・・・により間仕切壁３，３にそれぞれ固定されている。
【００３８】
この筐体の転倒防止用固定具２は、図２及び図３に示したように、断面Ｕ字状の枠材２２，２３，２３，２４が溶接により略矩形に組み付けられているとともに、枠材２２，２４の突出した両端部に建物構成部材側固定部としての固定板部２１が溶接によりそれぞれ組み付けられて、枠体である固定具本体２０が構成されている。
【００３９】
ここで、固定板部２１，２１は、長尺部材であり、建物構成部材としての間仕切壁３に固定具本体２０を固定するための固定用締結部材としての建物構成部材側固定用ネジ８，・・・を挿通させる固定用挿通孔２１ａ，・・・がそれぞれ形成されている。
【００４０】
また、筐体側固定部としての枠材２２の内側の立ち上がり部には、筐体としての貯湯タンク１に固定具本体２０を固定するための固定用締結部材としての筐体側固定用アジャスタボルト７，・・・を挿通させる固定用挿通孔２２ａ，２２ａが形成されている。
【００４１】
また、筐体側固定部としての枠材２３，２３の内側の立ち上がり部にも、筐体としての貯湯タンク１に固定具本体２０を固定するための固定用締結部材としての筐体側固定用アジャスタボルト７，・・・を挿通させる固定用挿通孔２３ａ，２３ａがそれぞれ形成されている。
【００４２】
さらに、枠材２３，２３と枠材２４とが接合された部分の内隅部の側面上端位置には、固定具本体２０の内側水平方向に突出する係止部としての係止板２５Ａ，２５Ａが溶接により接合して設けられている。
【００４３】
また、枠材２３，２３と枠材２２とが接合された部分の上面位置には、固定具本体２０の内側水平方向に突出する係止部としての係止板２５Ｂ，２５Ｂが溶接により接合して設けられている。
【００４４】
これら係止板２５Ａ，２５Ａ，２５Ｂ，２５Ｂは、固定具本体２０を、筐体としての貯湯タンク１の上方から嵌め込んだ際に、固定具本体２０を貯湯タンク１の上面で係止させて容易に位置決めさせるためのものである。
【００４５】
なお、係止板２５Ｂ，２５Ｂが係止板２５Ａ，２５Ａよりも高い位置に設けられているのは、貯湯タンク１の前方（枠材２２側の方）が、後方（枠材２４側の方）よりも（係止板２５Ａの厚さ分）若干高くなっているので、その高低差を吸収するためである。
【００４６】
次に、実施例１の作用効果について説明する。
【００４７】
このような実施例１の筐体の転倒防止用固定具２は、２つの対向する建物構成部材としての間仕切壁３，３間に設置される筐体としての貯湯タンク１の転倒防止用固定具である。
【００４８】
そして、建物構成部材としての間仕切壁３，３にそれぞれ固定するための建物構成部材側固定部としての固定板部２１，２１と、筐体としての貯湯タンク１に固定するための筐体側固定部としての枠材２２，２３，２３とを有する固定具本体２０から構成されている。
【００４９】
こうした構成なので、筐体としての貯湯タンク１が２つの対向する建物構成部材としての間仕切壁３，３間にしっかりと固定されるため、大きな規模の地震時でも、筐体としての貯湯タンク１の転倒を防止するとともに、貯湯タンク１の固定部である間仕切壁３，３の損傷も防止することができる。
【００５０】
すなわち、筐体としての貯湯タンク１は、２つの建物構成部材としての間仕切壁３，３の面に固定されるので、貯湯タンク１が転倒し難くなり、貯湯タンク１の固定部である間仕切壁３，３も損傷し難くなる。
【００５１】
ここで、建物構成部材側固定部としての固定板部２１，２１は、長尺部材であり、建物構成部材としての間仕切壁３，３と複数箇所で固定用締結部材としての建物構成部材側固定用ネジ８により締結される。
【００５２】
このため、建物構成部材としての間仕切壁３，３と複数箇所で固定されるので、貯湯タンク１がより転倒し難くなり、貯湯タンク１の固定部である間仕切壁３，３もより損傷し難くなる。
【００５３】
また、固定具本体２０は、筐体としての貯湯タンク１の周囲に嵌め込み可能な枠体である。
【００５４】
このため、筐体としての貯湯タンク１に上方から嵌め込むだけなので、固定具本体２０を、筐体としての貯湯タンク１に容易に設置することができる。
【００５５】
さらに、枠体である固定具本体２０には、筐体としての貯湯タンク１の周囲に嵌め込んだ際に貯湯タンク１の上面で係止させる係止部としての係止板２５Ａ，２５Ａ，２５Ｂ，２５Ｂが設けられている。
【００５６】
このため、枠体である固定具本体２０を筐体としての貯湯タンク１に嵌め込んだ際に、係止板２５Ａ，２５Ａ，２５Ｂ，２５Ｂにより、貯湯タンク１の上面で係止されるので、枠体である固定具本体２０がそれ以上ずり落ちることはなく、容易に位置決めすることができる。
【００５７】
また、固定具本体２０の建物構成部材側固定部としての固定板部２１には固定用挿通孔２１ａ，・・・が形成され、筐体側固定部としての枠材２２，２３，２３には固定用挿通孔２２ａ，２２ａ，２３ａ，・・・が形成されている。
【００５８】
このため、建物構成部材としての間仕切壁３，３と筐体としての貯湯タンク１への固定は、固定用挿通孔２１ａ，・・・，２２ａ，２２ａ，２３ａ，・・・から固定用締結部材としての建物構成部材側固定用ネジ８，・・・及び筐体側固定用アジャスタボルト７，・・・をそれぞれ螺合するだけで済むので、簡易に実施することができる。
【００５９】
さらに、筐体側固定部としての枠材２２，２３，２３の固定用挿通孔２２ａ，２２ａ，２３ａ，・・・に挿通される固定用締結部材は、筐体側固定用アジャスタボルト７，・・・である。
【００６０】
このため、筐体としての貯湯タンク１にボルト孔を設けるなどの加工を必要としないので、簡易に実施することができる。
【００６１】
すなわち、枠体である固定具本体２０の内寸を筐体としての貯湯タンク１の外寸よりわずかに大きくしておくことで、枠体である固定具本体２０を貯湯タンク１に簡単に嵌め込むことができる。
【００６２】
そして、その後、固定用挿通孔２２ａ，２２ａ，２３ａ，・・・に筐体側固定用アジャスタボルト７，・・・を螺合して、その先端で筐体としての貯湯タンク１を押圧することで枠体である固定具本体２０と貯湯タンク１との間の隙間を規制し、ガタツキを防止することができる。
【００６３】
このような実施例１の筐体の固定構造は、上記した実施例１の筐体の転倒防止用固定具２によって、筐体としての貯湯タンク１が固定された構成とされている。
【００６４】
こうした構成なので、上記した実施例１の筐体の転倒防止用固定具２の作用効果を奏する固定構造とすることができる。
【００６５】
ここで、実施例１で採用した筐体は、貯湯タンク１である。
【００６６】
このため、近年需要が増大してきている貯湯タンクの地震時における転倒を防止することにより、安全性を向上させることができる。
【実施例２】
【００６７】
次に、実施例２について説明する。
【００６８】
なお、実施例１で説明した内容と同一乃至均等な部分の説明については同一符号を付して説明する。
【００６９】
図４は、実施例２の筐体の固定構造の概略構成を示している。
【００７０】
この実施例２の筐体の固定構造では、図５及び図６に示したように、枠体である固定具本体２０の後方（枠材２４側の方）において、建物構成部材側固定部としての固定板部２１，２１の端部間に固定板部２１Ａが設けられた筐体の転倒防止用固定具２’を、建物構成部材としての右側の間仕切壁３と、これに直交する建物構成部材としての構造壁３Ａとに固定していることが、実施例１の筐体の固定構造と主に異なる。
【００７１】
なお、転倒防止用固定具２’の左側の固定板部２１にも、固定用挿通孔２１ａ，・・・が形成されており、建物構成部材としての左側の間仕切壁３と、これに直交する建物構成部材としての構造壁３Ａとにも固定できるようになっている。
【００７２】
すなわち、建物構成部材としての間仕切壁３，３間の間隔と略同じ幅の転倒防止用固定具２を用いなくても実施することができる。
【００７３】
なお、他の構成及び作用効果については、実施例１と略同様であるので説明を省略する。
【実施例３】
【００７４】
次に、実施例３について説明する。
【００７５】
なお、実施例１，２で説明した内容と同一乃至均等な部分の説明については同一符号を付して説明する。
【００７６】
図７は、実施例３の筐体の固定構造の概略構成を示している。
【００７７】
この実施例３の筐体の固定構造では、図８に示したように、建物構成部材としての左側の間仕切壁３が無いことが実施例２の筐体の固定構造と異なる。
【００７８】
すなわち、建物構成部材としての間仕切壁３，３間に挟まれた特別なスペースでなくても実施することができる。
【００７９】
なお、他の構成及び作用効果については、実施例１，２と略同様であるので説明を省略する。
【実施例４】
【００８０】
次に、実施例４について説明する。
【００８１】
なお、実施例１〜３で説明した内容と同一乃至均等な部分の説明については同一符号を付して説明する。
【００８２】
図９は、実施例４の筐体の固定構造の概略構成を示している。
【００８３】
この実施例４の筐体の固定構造では、図１０に示したように、建物構成部材としての左側の間仕切壁３にも、転倒防止用固定具２’を固定していることが、実施例２の筐体の固定構造と主に異なる。
【００８４】
すなわち、３つの建物構成部材としての間仕切壁３，３及び構造壁３Ａの面に固定されるので、実施例１〜３の筐体の固定構造よりも貯湯タンク１がさらに転倒し難くなり、貯湯タンク１の固定部である間仕切壁３，３もさらに損傷し難くなる。
【００８５】
なお、他の構成及び作用効果については、実施例１〜３と略同様であるので説明を省略する。
【００８６】
以上、図面を参照して、本発明を実施するための形態を実施例１〜４に基づいて詳述してきたが、具体的な構成は、これら実施例１〜４に限らず、本発明の要旨を逸脱しない程度の設計的変更は、本発明に含まれる。
【００８７】
例えば、上記した実施例１〜４では、固定具本体２０として枠体のものを用い、筐体としての貯湯タンク１の上部で固定するようにして実施したが、これに限定されず、筐体としての貯湯タンク１の中間部で固定するようにして実施してもよい。
【００８８】
また、上記した実施例１〜４では、固定具本体２０として枠体のものを用いて実施したが、これに限定されず、筐体の上面に固定する固定具本体として板状のものなどを用いて実施することもできる。
【００８９】
さらに、上記した実施例１〜４では、筐体の転倒防止用固定具２，２’を金属製のものにして実施したが、これに限定されず、例えば、合成樹脂製のものなどにして実施してもよい。
【００９０】
また、上記した実施例１〜４では、筐体として、貯湯タンク１を採用して実施したが、これに限定されず、筐体として、例えば、サーバー収納ボックスなどを採用して実施してもよい。
【００９１】
さらに、上記した実施例１〜４では、建物構成部材として間仕切壁３，３や構造壁３Ａを利用して実施したが、これに限定されず、例えば、梁などを利用して実施してもよい。
【００９２】
また、上記した実施例１〜４では、建物構成部材としての間仕切壁３，３には先付けのものを利用して実施したが、これに限定されず、後付けのものを利用して実施してもよい。
【００９３】
さらに、上記した実施例１〜４では、建物構成部材としての間仕切壁３と構造壁３Ａとが直交する場合について実施したが、これに限定されず、これらが鋭角や鈍角で交わる場合に実施してもよい。
【符号の説明】
【００９４】
１      貯湯タンク（筐体）
１ａ    貯湯タンクの脚部
２      筐体の転倒防止用固定具
２’    筐体の転倒防止用固定具
２０    固定具本体
２１    固定板部（建物構成部材側固定部）
２１Ａ  固定板部（建物構成部材側固定部）
２１ａ  固定用挿通孔
２２    枠材（筐体側固定部）
２２ａ  固定用挿通孔
２３    枠材（筐体側固定部）
２３ａ  固定用挿通孔
２４    枠材
２５Ａ  係止板（係止部）
２５Ｂ  係止板（係止部）
３      間仕切壁（建物構成部材）
３Ａ    構造壁（建物構成部材）
４      アンカーボルト
５      床面
６      天井面
７      筐体側固定用アジャスタボルト（固定用締結部材）
８      建物構成部材側固定用ネジ（固定用締結部材）
【図１】
0005225439.tif 000002
【図２】
0005225439.tif 000003
【図３】
0005225439.tif 000004
【図４】
0005225439.tif 000005
【図５】
0005225439.tif 000006
【図６】
0005225439.tif 000007
【図７】
0005225439.tif 000008
【図８】
0005225439.tif 000009
【図９】
0005225439.tif 000010
【図１０】
0005225439.tif 000011